(57)【特許請求の範囲】
【請求項１】
クリプトスポリジュウム等の耐性原虫類を内在する用水を、その耐性原虫類の大きさよりも小さな孔径を有するフィルタを通過させ、前記耐性原虫類を捕集し、この捕集された耐性原虫類を、水溶性のハロゲン化塩の単体もしくは混合水溶液を電気分解することにより得られる遊離活性体（フリーラジカル）を含む電解水に接触させ、前記用水の通水を停止して水または酸、アルカリ等を含む洗浄液にて前記フィルタを逆洗洗浄した後、この洗浄排水を回収し、回収された洗浄排水を前記電解水にて酸化処理することを特徴とする用水中の有害微生物の殺滅処理方法。
【請求項２】
前記水溶液に、水溶性の前記ハロゲン化塩により供給される塩素イオンと臭素イオンとが所定の比率にて混合されている請求項１に記載の用水中の有害微生物の殺滅処理方法。
【請求項３】
前記塩素イオンと臭素イオンと比率が、２：８〜７：３の範囲とされている請求項２に記載の用水中の有害微生物の殺滅処理方法。
【請求項４】
クリプトスポリジュウム等の耐性原虫類を内在する用水を供給する流通手段と、この流通手段中の所定位置に設けられたクリプトスポリジュウム等の耐性原虫類を内在する用水をその耐性原虫類の大きさよりも小さな孔径を有するフィルタを通過させ耐性原虫類を捕集する捕集手段と、水溶性のハロゲン化塩の単体もしくは混合水溶液を電気分解することにより遊離活性体（フリーラジカル）を含む電解水を生成する電解水生成手段と、から成り、前記捕集手段に捕集された耐性原虫類を前記生成された電解水にて酸化処理し、前記用水の通水を停止して水または酸、アルカリ等を含む洗浄液にて前記フィルタを逆洗洗浄した後、この洗浄排水を回収し、回収された洗浄排水を前記電解水にて酸化処理することを特徴とする用水中の有害微生物の殺滅処理システム。
【請求項５】
前記酸化処理後の電解水排水を、前記電解水生成手段に送り再利用するようになっている請求項４に記載の用水中の有害微生物の殺滅処理システム。
【請求項６】
前記捕集手段が、耐性原虫類の大きさよりも小さな孔径を有するフィルタであり、このフィルタの上、下流部に用水の圧力を検出する圧力センサーを具備し、この圧力差が所定値に達した際に、前記フィルタを電解水により逆洗洗浄するようになっている請求項４又は５に記載の用水中の有害微生物の殺滅処理システム。
【発明の詳細な説明】
【０００１】
【発明の属する技術分野】
本発明は、浄水場やプール、ラグーン等の用水中に存在するクリプトスポリジュウム等の耐性原虫類を除去、殺滅する用水中の有害微生物の殺滅処理方法およびそのシステムに関する。
【０００２】
【従来の技術】
従来、水道水等の上水の殺菌処理においては、用水中の赤痢、疫痢、病原性大腸菌などの病原菌を塩素殺菌やオゾン殺菌、紫外線殺菌等で実施されている。
【０００３】
しかし近年においては、米国、ミルウォーキーでの水道水による４０万人の集団感染に代表されるように、これら上記した殺菌、消毒方法に対して非常に強い耐性を有する耐性原虫類による感染事例が多く報告されるようになってきており、日本においても、１９９６年６月に埼玉県越生町で町民４０００人以上が、耐性原虫類であるクリプトスポリジュウムに集団感染した事例がある。
【０００４】
【発明が解決しようとする課題】
これらクリプトスポリジュウムは、国内の上水用水源地における厚生省の調査でも検出されており、その対策が急務とされているが、これらクリプトスポリジュウム等の耐性原虫類は、浄水場で通常実施されている砂濾過では濾過されずに通り抜け、前記の殺菌、消毒方法、特には通常浄水場において実施されている塩素消毒に対して、クリプトスポリジュウムは大腸菌に比較して２４万倍の耐性を有するとの報告もあり、現状においてはこれらクリプトスポリジュウム等の耐性原虫類を完全に殺滅できる方法が現存しないという問題があり、米国では、これら耐性原虫類が存在するおそれがある場合には、水道水を１分間以上煮沸処理することを指導している。
【０００５】
しかし、浄水場等のように大量の用水を処理する場合において、これら大量の用水を煮沸処理することは事実上不可能であることから、効率的に用水中の耐性原虫類を除去、殺滅する方法が切望されている。
【０００６】
よって、本発明は上記した問題点に着目してなされたもので、用水中のクリプトスポリジュウム等の耐性原虫類を効果的に除去、殺滅することのできる用水中の有害微生物の殺滅処理方法およびそのシステムを提供することを目的としている。
【０００７】
【課題を解決するための手段】
上記した問題を解決するために、本発明の用水中の有害微生物の殺滅処理方法は、クリプトスポリジュウム等の耐性原虫類を内在する用水を、その耐性原虫類の大きさよりも小さな孔径を有するフィルタを通過させ、前記耐性原虫類を捕集し、この捕集された耐性原虫類を、水溶性のハロゲン化塩の単体もしくは混合水溶液を電気分解することにより得られる遊離活性体（フリーラジカル）を含む電解水に接触させ、前記用水の通水を停止して水または酸、アルカリ等を含む洗浄液にて前記フィルタを逆洗洗浄した後、この洗浄排水を回収し、回収された洗浄排水を前記電解水にて酸化処理することを特徴としている。この特徴によれば、大量の用水中の耐性原虫類をフィルタで捕集し、捕集によって収集された耐性原虫類と、高濃度にて遊離活性体（フリーラジカル）を含む電解水とを、効果的に接触させることにより、耐性原虫類が電解水中の遊離活性体（フリーラジカル）により殺滅されるため、効率的な用水の処理を実施できる。また、フィルタの微細孔を塞ぐ耐性原虫類等を洗浄で取り除くことにより、再度フィルタを逐次濾過可能な状態に戻すことができ、高価なフィルタを長期間に渡って使用することができる。
【０００８】
本発明の用水中の有害微生物の殺滅処理方法は、前記水溶液に、水溶性の前記ハロゲン化塩により供給される塩素イオンと臭素イオンとが所定の比率にて混合されていることが好ましい。
このようにすれば、塩素イオンや臭素イオン単体を用いた場合よりも、電解水の殺滅能力をより高いものとすることができ、少ない電解水にて耐性原虫類を処理できる。
【０００９】
本発明の用水中の有害微生物の殺滅処理方法は、前記塩素イオンと臭素イオンと比率が、２：８〜７：３の範囲とされていることが好ましい。
このようにすれば、実験成績からも明らかなように、電解水の殺滅能力が著しく高くなる。
【００１３】
本発明の用水中の有害微生物の殺滅処理システムは、クリプトスポリジュウム等の耐性原虫類を内在する用水を供給する流通手段と、この流通手段中の所定位置に設けられたクリプトスポリジュウム等の耐性原虫類を内在する用水をその耐性原虫類の大きさよりも小さな孔径を有するフィルタを通過させ耐性原虫類を捕集する捕集手段と、水溶性のハロゲン化塩の単体もしくは混合水溶液を電気分解することにより遊離活性体（フリーラジカル）を含む電解水を生成する電解水生成手段と、から成り、前記捕集手段に捕集された耐性原虫類を前記生成された電解水にて酸化処理し、前記用水の通水を停止して水または酸、アルカリ等を含む洗浄液にて前記フィルタを逆洗洗浄した後、この洗浄排水を回収し、回収された洗浄排水を前記電解水にて酸化処理することを特徴としている。この特徴によれば、大量の用水中の耐性原虫類が捕集手段にて捕集、除去されて捕集手段に濃縮され、この捕集、濃縮された耐性原虫類と、高濃度にて遊離活性体（フリーラジカル）を含む電解水とを、接触させることができることから、効率良く前記遊離活性体（フリーラジカル）が耐性原虫類を殺滅でき、効率的な用水の処理を実施できる。また、フィルタの微細孔を塞ぐ耐性原虫類等を洗浄で取り除くことにより、再度フィルタを逐次濾過可能な状態に戻すことができ、高価なフィルタを長期間に渡って使用することができる。
【００１４】
本発明の用水中の有害微生物の殺滅処理システムは、前記酸化処理後の電解水排水を、前記電解水生成手段に送り再利用するようになっていることが好ましい。
このようにすれば、電解水中に含まれる高濃度の遊離活性体（フリーラジカル）に、随時残存する耐性原虫類がさらされることにより、電解水排水中の耐性原虫類をほぼ完全に殺滅することができるばかりか、前記遊離活性体（フリーラジカル）の酸化力により、電解水排水中の化学的酸素要求量（ＣＯＤ）成分等の有機物が酸化分解されてきれいな水として再利用でき、結果的に排出される電解水排水の量を著しく少なくすることができる。
【００１５】
本発明の用水中の有害微生物の殺滅処理システムは、前記捕集手段が、耐性原虫類の大きさよりも小さな孔径を有するフィルタであり、このフィルタの上、下流部に用水の圧力を検出する圧力センサーを具備し、この圧力差が所定値に達した際に、前記フィルタを電解水により逆洗洗浄するようになっていることが好ましい。
このようにすれば、耐性原虫類によるフィルタの閉塞状況が判断でき、適宜に洗浄がなされるようになるため、フィルタに過度の負荷がかかることを防止でき、結果的にフィルタの寿命を延ばすことができる。
【００１６】
【発明の実施の形態】
以下、本発明の実施例を図面に基づいて説明する。
【００１７】
（実施例１）
図１は、本実施例１の用水中の有害微生物の殺滅処理システムのシステム・フローの説明図であり、図２は、本実施例１の用水中の有害微生物の殺滅処理システムに用いた電解反応装置の構造を示す一部破断分解斜視図であり、図１においてＬＳは水位を計測するレベルセンサー、ＦＭは流量計、Ｇは圧力計、Ｐはポンプ、Ｖはバルブである。
【００１８】
本実施例１の有害微生物の殺滅処理システムは、図１に示されるような構成とされており、主にクリプトスポリジュウム等の耐性原虫類を内在するおそれのある原水を加圧ポンプＰ５にて加圧供給する用水供給部１２と、この原水の流通経路中に設けられ、プレフィルタ４およびメインフィルタ５とから成る捕集部１０と、この捕集部１０を洗浄する電解水を生成する電解水生成部９と、前記捕集部１０を洗浄した洗浄排水を回収、貯溜する回収部１１とから構成されており、本実施例１のシステムでは、前記電解水生成部９に隣接して、捕集部１０の洗浄を実施する酸性およびアルカリ性水溶液を貯溜する酸タンク７およびアルカリタンク８が設けられている。
【００１９】
本実施例１では、前記捕集部１０のプレフィルタ４としてキユノ社製の孔径１０ミクロンのカートリッジタイプフィルタを使用し、このプレフィルタ４をメインフィルタ５の上流部に配置しており、前記用水供給部１２より供給される原水中の異物や粗い汚れ、が除去されるようになっている。
【００２０】
また、捕集部１０のメインフィルタ５としては、クリプトスポリジュウム等の耐性原虫類の大きさが、ほぼ数ミクロン程度であることから、この大きさよりも小さな孔径を有するフィルターとして、前記孔径が１ミクロンである中空繊維膜フィルタ（クラレ社製、材質；ポリビニルピロリドン）を用いており、図１に示されるように、用水流通経路中の前記プレフィルタ４の下流部に設置されて耐性原虫類等を捕集するようになっている。
【００２１】
また、これらプレフィルタ４およびメインフィルタ５には、前記回収部１１に繋がる回収路が設けられている。
【００２２】
これら本実施例のように、酸化能力の高い電解水にフィルタが接触する場合においては、これらフィルタの材質としては、耐酸化性が高いことから高分子材料のものを使用することが好ましく、これら高分子材料のフィルタとしては本実施例に用いたポリビニルピロリドンの他に、例えばポリスルホン等が例示される。
【００２３】
本実施例１に用いた電解水生成部９の構成は、図１に示されるように、上水１が供給可能とされている電解水タンク３と、塩化ナトリウムや臭化ナトリウム等の水溶性のハロゲン化塩の水溶液を貯溜する電解質水溶液タンク２と、電解装置１とから主に構成されており、前記電解水タンク３内に供給された上水１は、ポンプＰ１により電解装置１に送られる経路中において、電解質水溶液タンク２よりポンプＰ２によって適宜所定量のハロゲン化塩水溶液が添加されて所定の電気伝導度（本実施例では１２００μｓ／ｃｍ）とされ、電解装置１にて電気分解されて再度電解水タンク３に戻るように常時循環されて所定の残留ハロゲン濃度の電解水が生成されるようになっている。
【００２４】
この電解装置１の構造は、図２に示されるように、電気分解を行うための電解通路１３が、二枚の電極板１４との間に形成されたものとなっている。
【００２５】
これら電極板１４は、チタン板の表面に白金がメッキされたものであり、これら各電極板１４は、所定の間隙となるような形状とされた塩化ビニル製の筐体１５内に嵌入されて配置されている。
【００２６】
これら電極板１４の間隔としては、１〜１０ｍｍの範囲内、特には３〜６ｍｍの範囲とすることが好ましい。
【００２７】
この筐体１５端部の開口部は、パッキン１６を介して塩化ビニル製の蓋材１７が皿ねじ１８により固定されることにより塞がれ、前記電極板９には、この蓋材１７を貫通して筐体１５の外部に露出する電極端子１９（他方の電極は図示せず）が設けられており、この電極端子１９は前記蓋材１７にＯリング２０、丸ワッシャー２１、チタンナット２２により固定され、この電極端子１９には、整流電源より直流電流が供給され、電解装置１の両端には電解通路１３への出入口ジョイント１８が設けられており、電解水が下方の入口ジョイントより導入され、上方の出口ジョイントより流出するようになっている。
【００２８】
この電解装置１の内部においては、前記電解通路１３の両側に設けられた電極板１４に、所定の電圧が印加されるように前記整流電源により制御されており、本実施例１では５Ｖの電圧が印加されて電気分解がなされている。
【００２９】
前記水溶性ハロゲン化塩として塩化ナトリウムを用いた場合においては、この電気分解により、陽極では以下の反応により不対電子対を有する遊離活性（フリ−ラジカル）酸素が生成する。
【化１】
0003757347.tif 000002
【００３０】
また、水溶性ハロゲン化塩として臭化ナトリウムを用いた場合においても、この電気分解により、塩化ナトリウムと同様に、陽極では以下の反応により不対電子対を有する遊離活性（フリ−ラジカル）酸素が生成する。
【化２】
0003757347.tif 000003
【００３１】
このようにして得られた遊離活性（フリ−ラジカル）酸素は、非常に高い反応性を有し、接触するものを酸化させる能力が非常に高いことから、耐性原虫類、特にクリプトスポリジウムでは、その外郭を形成するオ−シスト壁がこの強い酸化能力により酸化分解されて破壊されることにより、クリプトスポリジウムが殺滅される。
【００３２】
このようにして生成された遊離活性（フリ−ラジカル）酸素を含む電解水は、電解水生成部９より、電解水供給経路を経て前記捕集部１０に供給されて各フィルタ４、５の洗浄に使用される。
【００３３】
また、本実施例１では、前記電解水供給経路に、上水２および空気１が供給可能とされている。
【００３４】
また、前記回収部１１には、回収タンク６と、回収タンク内の洗浄廃液の上澄み液を再度捕集部１０へ供給するポンプＰ６と余剰の洗浄廃液を排水する排水バルブＶ１６とが設けられている。
【００３５】
以下、本実施例１の用水中の有害微生物の殺滅処理システムの動作について説明すると、前記用水供給部１２により供給される原水としては、砂濾過および凝集沈降または凝集浮上等の通常の浄水処理がなされたものが使用される。
【００３６】
この用水供給部１２により供給された原水は、まずプレフィルタ４において異物や粗い汚れが除去され、これらプレフィルタ４にて濾過されないクリプトスポリジウム等の耐性原虫類等がメインフィルタ５によって捕集、除去されて、安全な上水がバルブＶ１０より取り出される。
【００３７】
これら原水の処理を続けると、捕集されたクリプトスポリジウム等の耐性原虫類等がメインフィルタ５を目詰まりさせ、濾過圧力が上昇し、メインフィルタ５の上下流部に設けられた圧力計Ｇ１、Ｇ２の差圧が大きくなるとともに、処理流量が減少してくる。
【００３８】
この圧力計Ｇ１、Ｇ２の差圧が所定値に達した場合に、前記用水供給部１２に設けられたバルブ１３と、前記吐出側のバルブＶ１０を閉じ、原水の通水を停止して処理を中断する。
【００３９】
次いで、前記電解水タンク３内の電解水の残留ハロゲン濃度が所定値に達した段階にて電解水生成部９のバルブＶ２、Ｖ３が閉じられ、バルブＶ１、Ｖ４、Ｖ９、Ｖ１５が開けられて、遊離活性（フリ−ラジカル）酸素を含む電解水がメインフィルタ５およびプレフィルタ４を逆洗洗浄し、洗浄廃液が回収部１１の回収タンク６に貯留される。
【００４０】
本実施例１では、これら電解水による逆洗時において、空気１および空気２を導入することにより、空気２によりメインフィルタ内部にエアバブリングを発生させ、中空繊維膜表面に付着した汚れや耐性原虫類を気泡により効率良く落とすようにされており、空気１は、メインフィルタを逆洗する電解水とともに、メインフィルタ内を濾過方向とは逆方向に通過することによって、逆洗効果を高めるようになっている。
【００４１】
また本実施例１では、前記したように電解水生成部９に隣接して酸タンク７とアルカリタンク８が設けられており、これら酸タンク内に塩酸またはシュウ酸等の水溶液を、アルカリタンク８内に苛性ソ−ダまたは炭酸ソ−ダ等のアルカリ水溶液を貯留しておき、これら各酸またはアルカリ水溶液を前記電解水の逆洗洗浄の前または後に、適宜用いてフィルタを洗浄することができるようにされている。
【００４２】
また、本実施例１では、前記回収タンク６に回収された洗浄廃液を再度電解水として使用する機構が設けられており、その機構を説明すると、回収タンク６より上澄みをバルブＶ１４を開け、ポンプＰ６により原水経路に供給する。
【００４３】
供給された上澄みは、原水と同様にプレフィルタ４→メインフィルタ５により処理され、その処理水がバルブＶ９、Ｖ４、Ｖ３を介して電解水タンク３に貯留されて、再度使用されるようになっている。
【００４４】
これらフィルタの洗浄処理が終了した段階において、電解水生成部に設けられたバルブＶ４が閉じられ、上水２がバルブＶ８が開けられて各フィルタに供給されてすすぎがなされる。
【００４５】
その後、前記にて閉じられた電解水生成部９のバルブＶ２、Ｖ３が開けられ、バルブＶ１、Ｖ４、Ｖ９、Ｖ１５が閉じられた後、バルブＶ１３とＶ１０とが開けられて再度原水の処理が実施されるようになる。
【００４６】
前記した本実施例１の用水中の有害微生物の殺滅処理システムに、原水としてクリプトスポリジウムに汚染された原水を通水処理し、その処理後に塩化ナトリウム水溶液および臭化ナトリウム水溶液を用いて生成した各残留ハロゲン濃度の電解水にて、前記したようにフィルタを逆洗洗浄した洗浄廃液中のクリプトスポリジウムの脱嚢率を、接触時間を３０分として測定した結果が以下の表１である。
【００４７】
前記脱嚢とは、クリプトスポリジウムのオ−シスト壁が開き、感染源となるスポロゾイトが放出された状態をいい、脱嚢率とは、前記脱嚢状態のクリプトスポリジウムを顕微鏡下でカウントし、コンントロ−ルを１００％とした時のパ−セントで表される数値で、この値が０％に近づくほど、殺滅が良好になされていることになる。
【表１】
0003757347.tif 000004
【００４８】
前記表１の結果に示されるように、通常の浄水処理である次亜塩素酸ナトリウムによる洗浄処理では、殆どクリプトスポリジウムが殺滅されないのに対し、塩化ナトリウム水溶液および臭化ナトリウム水溶液を用いて生成した電解水では、脱嚢率が大きく低下して殺滅が良好になされている。
【００４９】
また、塩化ナトリウムと臭化ナトリウムでは、臭化ナトリウムの方が脱嚢率が高く、クリプトスポリジウムには臭化ナトリウムによる電解水の方が殺滅力が高いことが判る。
【００５０】
尚、次亜塩素酸ナトリウムによるフィルタの洗浄処理は、前記酸タンク７内に次亜塩素酸水溶液を貯留しておき、洗浄を電解水と同様に実施することで行った。
【００５１】
（実施例２）
図３は、ハロゲン化塩として塩化ナトリウムと臭化ナトリウムとを混合して用い、その混合比率を変化させた際の各処理時間における脱嚢率を示すグラフである。
【００５２】
本実施例２の用水中の有害微生物の殺滅処理システムは、実施例１のものと同様のシステム構成にて実施している。
【００５３】
図３のグラフに示されるように、電気分解を実施する水溶液のハロゲン化塩を塩化ナトリウムと臭化ナトリウムとの混合物を用いることにより、塩化ナトリウムによる塩素イオンおよび臭化ナトリウムによる臭素イオンの単体を用いた場合に比較して、脱嚢率が低く、クリプトスポリジウムの殺滅効果が高いことが判る。
【００５４】
前記塩化ナトリウムおよび臭化ナトリウムの重量混合比を３：７（塩素イオンと臭素イオンとの比率では４３：５７）とすると、６０分間の電解水処理にて、脱嚢率が０.０１％となり、この洗浄廃液をマウスに投与した結果、３週間たってもマウスの糞尿からクリプトスポリジウムは検出されず、前記重量混合比を６：４（塩素イオンと臭素イオンとの比率では７３：２７）とすると、６０分間の電解水処理にて、脱嚢率が０.１％となり、この洗浄廃液をマウスに投与した結果、５匹中２匹が感染していたことから、脱嚢率は０.１％以下とすることが好ましい。
【００５５】
よって、これら塩素イオンおよび臭素イオンの混合比率としては、水溶液中の塩素イオンと臭素イオンとが、ほぼ等しい濃度において、１５分、３０分、６０分における各処理時間に対する脱嚢率の低下が著しく大きくなることから、塩素イオンと臭素イオンとの比率を斜線部にて示すように、２：８〜７：３の範囲とすることが好ましく、このようにすることで、６０分の処理時間において、前記脱嚢率０.１％以下とすることができるようになる。
【００５６】
（実施例３）
図４は、本実施例３の用水中の有害微生物の殺滅処理システムの捕集ユニットを示す外観斜視図であり、図５は、本実施例３の用水中の有害微生物の殺滅処理システムの捕集ユニットを示す断面図である。
【００５７】
本実施例３の用水中の有害微生物の殺滅処理システムは、基本的なシステムのフロー構成は、実施例１と同様とされているが、前記実施例１および２では、捕集手段のメインフィルタ５に中空繊維膜フィルタを使用しているが、本実施例３では、このメインフィルタ５に代えて、図３および図４に示す捕集ユニット３１を用いている。
【００５８】
この捕集ユニット３１は、プレフィルタ４を通過した原水を導入する導入管２４と、濾過された原水を吐出する吐出管２５と、前記導入管２４と吐出管２５との接続部に回転可能とされた濾過フィルタ２７と、この濾過フィルタ２７を回転駆動する駆動モータ２８と、これら導入管２４と吐出管２５の連結部および前記濾過フィルタ２７を覆う外部タンク２６とから構成されており、前記導入管２４と吐出管２５はほぼ直線状に配置されて原水の流通路を形成しており、前記濾過フィルタ２７は、前記導入管２４と吐出管２５とに当接されて前記原水の流通路はほぼ密閉された状態とされている。
【００５９】
また、前記外部タンク２６には、電解水生成ユニット３０が連結管２９により連結されており、この電解水生成ユニット３０の内部には、実施例１の電解水生成部９を構成する各機器が内蔵されており、この電解水生成部９で生成された電解水が、図５に示すように原水の流通方向とは逆方向に前記連結管２９を介して外部タンク２６に供給、循環するようにされている。
【００６０】
また、前記回転可能とされた濾過フィルタ２７は、多数枚から構成された円盤状のメッシュとされており、その孔径は、実施例１と同様に約１ミクロン程度とされており、前記駆動モータ２８により、所定の方向に回転するようにされている。
【００６１】
また、本実施例３においては、前記原水の供給圧力が外部タンク２６に供給される電解水の圧力よりも大きなものとなるようにされており、原水中に電解水が混入しないようにされている。
【００６２】
以下、前記捕集ユニット３１の動作について説明すると、前記導入管２４より所定の圧力にて供給された原水は、前記吐出管２５との間に設けられた濾過フィルタ２７により濾過されて、内在するクリプトスポリジュウム等の耐性原虫類が随時捕集され、耐性原虫類が除去された原水が吐出管２５より吐出される。
【００６３】
このクリプトスポリジュウム等の耐性原虫類が捕集された濾過フィルタ２７の原水流通路に露出されている部分は、濾過フィルタ２７が前記駆動モータ２８によって回転されることにより、原水流通路外の外部タンク２６内部に露出されるようになり、この外部タンク２６内部を前記原水とは逆方向に循環される電解水により逆洗され、前記捕集された耐性原虫類が殺滅される。
【００６４】
本実施例３のようにすれば、原水の濾過処理と耐性原虫類が殺滅の殺滅処理が同時に実施されるようになり、フィルタの洗浄のために、原水の通水を停止することなく、連続的な原水の処理が可能とすることができるとともに、電解水により随時耐性原虫類が殺滅されることにより、フィルタを常時衛生的に保つことができるとともに、電解水は循環使用することで、洗浄廃液を著しく少なくすることができるようになる。
【００６５】
以上、本発明を実施例に基づいて説明してきたが、本発明は前記各実施例に限定されるものではなく、本発明の主旨を逸脱しない範囲での追加または変更があっても、本発明に含まれることは言うまでもない。
【００６６】
また、前記実施例１および２においては、メインフィルタ５を有する捕集部１０を１つ設けた構成とされているが、本発明はこれに限定されるものではなく、これら捕集部１０を複数設け、これら捕集部１０を切り替えて洗浄を実施し、常時いずれかの捕集部１０にて原水の濾過が可能なようにしても良い。
【００６７】
また、前記各実施例においては、電解水にてフィルタを直接洗浄しているが、本発明はこれに限定されるものではなく、これら洗浄を通常の上水や酸、アルカリを含む洗浄水等により洗浄し、この洗浄廃液に前記電解水を混入させて、高濃度とされた耐性原虫類を殺滅するようにしても良い。
【００６８】
また、前記各実施例の各フィルタは、交換のために取り外し可能とされているが、これら取り外されたフィルタを、前記電解水にて洗浄処理して再度使用可能なものとしても良い。
【００６９】
また、前記各実施例においては、電解装置１を１つ設けた構成とされているが、本発明はこれに限定されるものではなく、これら電解装置１を複数設けて電解水の生成処理能力を高いものとしても良く、これら電解装置１の個数は、必要とされる電解水の量等から適宜選択されれば良い。
【００７０】
また、前記各実施例においては、ハロゲン化塩として塩化ナトリウムおよび臭化ナトリウムを用いているが、本発明はこれに限定されるものではなく、これら塩を他のアルカリ金属、例えばカリウムやリチウム等や、アルカリ土類金属であるマグネシュウムやカルシウム等との塩を使用しても良く、これら選択はそのハロゲン化塩の価格等などから適宜選択されれば良い
【００７１】
【発明の効果】
本発明は以下の効果を奏する。
【００７２】
（ａ）請求項１項の発明によれば、大量の用水中の耐性原虫類をフィルタで捕集し、捕集によって収集された耐性原虫類と、高濃度にて遊離活性体（フリーラジカル）を含む電解水とを、効果的に接触させることにより、耐性原虫類が電解水中の遊離活性体（フリーラジカル）により殺滅されるため、効率的な用水の処理を実施できる。また、フィルタの微細孔を塞ぐ耐性原虫類等を洗浄で取り除くことにより、再度フィルタを濾過可能な状態とすることができ、高価なフィルタを長期間に渡って使用することができる。
【００７３】
（ｂ）請求項２項の発明によれば、塩素イオンや臭素イオン単体を用いた場合よりも、電解水の殺滅能力をより高いものとすることができ、少ない電解水にて耐性原虫類を処理できる。
【００７４】
（ｃ）請求項３項の発明によれば、実験成績からも明らかなように、電解水の殺滅能力が著しく高くなる。
【００７８】
（ｄ）請求項４の発明によれば、大量の用水中の耐性原虫類が捕集手段にて捕集、除去されて捕集手段に濃縮され、この捕集、濃縮された耐性原虫類と、高濃度にて遊離活性体（フリーラジカル）を含む電解水とを、接触させることができることから、効率良く前記遊離活性体（フリーラジカル）が耐性原虫類を殺滅でき、効率的な用水の処理を実施できる。また、フィルタの微細孔を塞ぐ耐性原虫類等を洗浄で取り除くことにより、再度フィルタを濾過可能な状態とすることができ、高価なフィルタを長期間に渡って使用することができる。
【００７９】
（ｅ）請求項５の発明によれば、電解水中に含まれる高濃度の遊離活性体（フリーラジカル）に、随時残存する耐性原虫類がさらされることにより、電解水排水中の耐性原虫類をほぼ完全に殺滅することができるばかりか、前記遊離活性体（フリーラジカル）の酸化力により、電解水排水中の化学的酸素要求量（ＣＯＤ）成分等の有機物が酸化分解されてきれいな水として再利用でき、結果的に排出される電解水排水の量を著しく少なくすることができる。
【００８０】
（ｆ）請求項６の発明によれば、耐性原虫類によるフィルタの閉塞状況が判断でき、適宜に洗浄がなされるようになるため、フィルタに過度の負荷がかかることを防止でき、結果的にフィルタの寿命を延ばすことができる。
【００８１】
【図面の簡単な説明】
【図１】本発明の実施例１における用水中の有害微生物の殺滅処理システムのシステム・フローの説明図である。
【図２】本発明の実施例１における用水中の有害微生物の殺滅処理システムに用いた電解装置の構造を示す一部破断分解斜視図である。
【図３】本発明の実施例２において、ハロゲン化塩として塩化ナトリウムと臭化ナトリウムとを混合して用い、その混合比率を変化させた際の脱嚢率を示すグラフである。
【図４】本発明の実施例３における用水中の有害微生物の殺滅処理システムの捕集ユニットを示す外観斜視図である。
【図５】本発明の実施例３における用水中の有害微生物の殺滅処理システムの捕集ユニットを示す断面図である。
【符号の説明】
１            電解装置
２            電解質水溶液タンク
３            電解水タンク
４            プレフィルタ
５            メインフィルタ
６            回収タンク
７            酸タンク
８            アルカリタンク
９            電解水生成部（電解水生成手段）
１０          捕集部（捕集手段）
１１          回収部
１２          用水供給部
１３          電解通路
１４          電極板
１５          筐体
１６          パッキン
１７          蓋材
１８          皿ねじ
１９          電極端子
２０          Ｏリング
２１          丸ワッシャー
２２          チタンナット
２３          ジョイント（電解水入口（下）、出口（上））
２４          導入管
２５          吐出管
２６          外部タンク
２７          濾過フィルタ
２８          駆動モータ
２９          連結管
３０          電解水生成ユニット
３１          捕集ユニット
【図１】
0003757347.tif 000005
【図２】
0003757347.tif 000006
【図３】
0003757347.tif 000007
【図４】
0003757347.tif 000008
【図５】
0003757347.tif 000009